(57)【特許請求の範囲】
【請求項１】
磁気ディスプレイシートに磁気ペンで絵等を表示できるように構成された磁気ディスプレイ装置において、前記磁気ディスプレイシートの下側に、前記磁気ディスプレイシートの下面に沿う一の方向で往復直線移動可能な第１移動体が設けられ、前記第１移動体は第１操作子の往復直線操作によって一体的に前記一の方向で往復直線移動するようになっており、前記第１移動体には、前記磁気ペンを保持し前記一の方向と直交する他の方向に往復直線移動可能な第２移動体が設けられ、前記第２移動体には、前記第１操作子の上の定位置で往復回転操作可能なボール状操作子からなる第２操作子が連結され、前記第２移動体は前記ボール状操作子の往復回転操作によって前記他の方向に往復直線移動するようになっていることを特徴とする磁気ディスプレイ装置。
【請求項２】
前記磁気ペンは巻掛伝動機構のロープまたはチェーンの途中部分に係合し、この巻掛伝動機構は前記ボール状操作子の回転操作によって作動するようになっていることを特徴とする請求項１記載の磁気ディスプレイ装置。
【請求項３】
前記磁気ペンのペン先を前記磁気ディスプレイシートの下面に対して接離するペン先接離手段を備えることを特徴とする請求項１または２記載の磁気ディスプレイ装置。
【請求項４】
前記ペン先接離手段は前記第１操作子に設けられ、前記ペン先接離手段はシーソ動作するペン先接離ボタンを備え、前記ペン先接離ボタンのシーソ動作によって、前記磁気ペンを前記磁気ディスプレイシートの下面に平行な軸の回りに往復回転するようになっていることを特徴とする請求項３記載の磁気ディスプレイ装置。
【請求項５】
前記磁気ディスプレイ上に表示された絵等の任意部分を消すことが可能となるように、装置本体とは別体の字消し板または字消しペンを備えていることを特徴とする請求項１〜４いずれか記載の磁気ディスプレイ装置。
【請求項６】
装置本体に往復直線移動可能に取り付けられ、ほぼ１回の往復直線移動によって前記磁気ディスプレイ上に表示された絵等を消すことができる字消し板を備えていることを特徴とする請求項１〜５いずれか記載の磁気ディスプレイ装置。
【請求項７】
前記磁気ディスプレイシートは、光吸収性強磁性粉および光反射性非磁性粉を油状液体中に懸濁状態で封入した多数のマイクロカプセルを平面的に密集させてその上側を透光性を持つ保護シートで覆って構成されていることを特徴とする請求項１〜６いずれか記載の磁気ディスプレイ装置。
【発明の詳細な説明】
【０００１】
【発明の属する技術分野】
この発明は、磁気ディスプレイ装置に関するものである。
【０００２】
【従来の技術】
従来、磁気ディスプレイシートに磁気ペンで絵等を表示させるように構成された磁気ディスプレイ装置が知られている。この磁気ディスプレイ装置にあっては、本体と磁気ペンとが別体に構成され、使用者が磁気ペンを握り持ち、磁気ディスプレイシートに磁気ペンを擦り付けることによって、磁気ディスプレイシートに絵等を表示させるようになっている。
【０００３】
また、米国特許第３，７６０，５０５号に示すように、ダイヤル２つを使用して磁気ディスプレイ下側にある磁気ペンを縦横に移動させるようにしたものも知られている。この磁気ディスプレイ装置にあっては、２つのダイヤルを適宜に操作して磁気ディスプレイシートに絵等を表示させるようになっている。
【０００４】
【発明が解決しようとする課題】
しかしながら、従来の磁気ディスプレイ装置によれば下記のような問題があった。
すなわち、前者の磁気ディスプレイ装置にあっては、使用者が手に磁気ペンを持って描くため、綺麗な直線が描きにくいという問題がある。勿論、定規を用い、その定規の一辺に沿って磁気ペンを走らせることで綺麗な直線を描くことは可能であるが、定規を持ちながら磁気ペンを走らせるのは煩雑であるという問題があった。特に、幼児等にとっては片手で定規を押さえつつ他方の手で磁気ペンを走らせるというのは困難であった。
【０００５】
また後者の磁気ディスプレイ装置にあっては、各ダイヤルの回転量と磁気ペンの移動量との間には相関はあるものの、特に斜線を描く場合のように２つのダイヤルの双方を同時に動かさなければならない場合、どの程度ダイヤルを動かしたらどのような斜線が描けるのかをイメージしにくく、特に低年齢の子供にとって使い勝手が悪いという問題があった。
【０００６】
本発明は、かかる点に鑑みなされたものであり、直線等も簡単に描くことができる磁気ディスプレイ装置を提供することを目的とする。
【０００７】
【課題を解決するための手段】
請求項１記載の磁気ディスプレイ装置は、磁気ディスプレイシートに磁気ペンで絵等を表示できるように構成された磁気ディスプレイ装置において、前記磁気ディスプレイシートの下側に、前記磁気ディスプレイシートの下面に沿う一の方向で往復直線移動可能な第１移動体が設けられ、前記第１移動体は第１操作子の往復直線操作によって一体的に前記一の方向で往復直線移動するようになっており、前記第１移動体には、前記磁気ペンを保持し前記一の方向と直交する他の方向に往復直線移動可能な第２移動体が設けられ、前記第２移動体には、前記第１操作子の上の定位置で往復回転操作可能なボール状操作子からなる第２操作子が連結され、前記第２移動体は前記ボール状操作子の往復回転操作によって前記他の方向に往復直線移動するようになっていることを特徴とする。
この磁気ディスプレイ装置によれば、第１操作子の操作によって第１移動体が一の方向に往復直線移動し、第２操作子の操作によって第２移動体が第１移動体上で往復直線移動する。したがって、第１移動体の移動方向および第２移動体の移動方向で直線を描くのが容易となる。また、この磁気ディスプレイ装置によれば、第１操作子の位置を見ることで磁気ペンが例えば縦あるいは横のどの位置にあるかをイメージできるので、後は横または縦方向の位置調整を第２操作子で行えばよいので、所望の斜線等を簡単に描くことができる。
【０００８】
請求項２記載の磁気ディスプレイ装置は、請求項１記載の磁気ディスプレイ装置において、前記磁気ペンは巻掛伝動機構のロープまたはチェーンの途中部分に係合し、この巻掛伝動機構は前記ボール状操作子の回転操作によって作動するようになっていることを特徴とする。
この磁気ディスプレイ装置によれば、巻掛伝動機構を用いて磁気ペンを移動させているので、構成が簡素となる。
【０００９】
請求項３記載の磁気ディスプレイ装置は、請求項１または２記載の磁気ディスプレイ装置において、前記磁気ペンのペン先を前記磁気ディスプレイシートの下面に対して接離するペン先接離手段を備えることを特徴とする。
この磁気ディスプレイ装置によれば、ペン先接離手段によって磁気ペンのペン先が磁気ディスプレイシートから接離されるので、不連続の直線や曲線を描くことができる。
【００１０】
請求項４記載の磁気ディスプレイ装置は、請求項３記載の磁気ディスプレイ装置において、前記ペン先接離手段は前記第１操作子に設けられ、前記ペン先接離手段はシーソ動作するペン先接離ボタンを備え、前記ペン先接離ボタンのシーソ動作によって、前記磁気ペンを前記磁気ディスプレイシートの下面に平行な軸の回りに往復回転するようになっていることを特徴とする。この場合、ペン先接離ボタンは、ボール状操作子に手を乗せた状態で、人差し指あるいは中指で操作できる位置にあることが好ましい。
この磁気ディスプレイ装置によれば、ペン先接離ボタンの押圧によって磁気ペンのペン先を磁気ディスプレイシートに対して接離させるようにしているため、ペン先の接離が容易に行えることになる。
【００１１】
請求項５記載の磁気ディスプレイ装置は、請求項１〜４いずれか記載の磁気ディスプレイ装置において、前記磁気ディスプレイ上に表示された絵等の任意部分を消すことが可能となるように、装置本体とは別体の字消し板または字消しペンを備えていることを特徴とする。
この磁気ディスプレイ装置によれば、前記磁気ディスプレイ上に表示された絵等の任意部分を消磁して消すことができる。
【００１２】
請求項６記載の磁気ディスプレイ装置は、請求項１〜５いずれか記載の磁気ディスプレイ装置において、装置本体に往復直線移動可能に取り付けられ、ほぼ１回の往復直線移動によって前記磁気ディスプレイ上に表示された絵等を消すことができる字消し板を備えていることを特徴とする。そのためには字消し板は、磁気ディスプレイの例えば縦または横一杯に広がる寸法を有している必要がある。
この磁気ディスプレイ装置によれば、字消し板を１回往復移動させることにより磁気ディスプレイシート上の絵等を消すことができるので便利である。
【００１３】
請求項７記載の磁気ディスプレイ装置は、請求項１〜６いずれか記載の磁気ディスプレイ装置において、前記磁気ディスプレイシートは、光吸収性強磁性粉および光反射性非磁性粉を油状液体中に懸濁状態で封入した多数のマイクロカプセルを平面的に密集させてその上側を透光性を持つ保護シートで覆って構成されていることを特徴とする。
この磁気ディスプレイ装置によれば、マイクロカプセルから構成される磁気ディスプレイシートを用いているので、細線も綺麗に表示することができる。
【００１４】
【発明の実施の形態】
図１には本発明に係る磁気ディスプレイ装置の平面図、図２にはその磁気ディスプレイ装置の分解図が示されている。この磁気ディスプレイ装置１は下枠２と上枠３とを備えている。このうち上枠３には矩形状の窓４が形成され、この窓４からは磁気ディスプレイシート５が露出している。また、下枠２は上枠３よりも大きく構成され、下枠２に上枠３を組み付けた際には下枠２の手前側部分が露出するようになっている。そして、この手前側部分によってテーブル６が構成されている。テーブル６上には左右に往復操作可能な第１操作子７が設けられている。また、この第１操作子７上には前後に回転操作可能なボール状操作子からなる第２操作子８が設けられている。さらに、第１操作子７上には、前記第２操作子８の直ぐ奥側に、左右にシーソ動作するペン先接離ボタン９が設けられている。また、上枠３にはロープ１０によって字消し板１１が連結されている。
【００１５】
そして、この磁気ディスプレイ装置１では、ペン先接離ボタン９の左側部分を押して第１操作子７を左右に操作すると、磁気ディスプレイシート５に横方向に延びる直線が表示される。ペン先接離ボタン９の右側部分を押して第１操作子７を左右に操作しても磁気ディスプレイシート５には何も表示されない。
【００１６】
一方、この磁気ディスプレイ装置１では、ペン先接離ボタン９の左側部分を押して第２操作子８を前後に回転操作すると、磁気ディスプレイシート５に縦方向に延びる直線が表示される。ペン先接離ボタン９の右側部分を押して第２操作子８を前後に回転操作しても磁気ディスプレイシート５には何も表示されない。
【００１７】
さらに、この磁気ディスプレイ装置１では、ペン先接離ボタン９の左側部分を押して第１操作子７および第２操作子８を同時に操作すると、磁気ディスプレイシート５に斜線が表示される。ペン先接離ボタン９の右側部分を押して第１操作子７および第２操作子８を操作しても磁気ディスプレイシート５には何も表示されない。
【００１８】
次に、この磁気ディスプレイ装置１の詳細を説明する。
磁気ディスプレイシート５は、図２に示すように、光吸収性強磁性粉５１ａおよび光反射性非磁性粉５１ｂを油状液体中に懸濁状態で封入した多数のマイクロカプセル５１を有している。この多数のマイクロカプセル５１は保護シート５２，５３によって挟持されている。そして、保護シート５２，５３の端部同士は高周波ウェルダによって接着されている。ここで、下側の保護シート５２は磁気透過性を有している。一方、上側の保護シート５３は透光性を有している。
【００１９】
第１操作子７には図２に示すように第１移動体１２が一体的に設けられており、この第１移動体１２は磁気ディスプレイシート５下面に沿って延在している。この第１移動体１２は、横一直線に延びたガイド１３に沿って移動できるようになっている。
【００２０】
この第１移動体１２には縦方向に延びる角軸１４が設けられている。つまり、第１移動体１２の手前側および奥側には軸受部１５，１６が付設され、この軸受部１５，１６には角軸１４がその軸線を中心に回転可能に支持されている。この角軸１４は第２移動体１７の腕１７ａ，１７ａを貫通している。この第２移動体１７は角軸１４に対して相対回転可能かつ軸方向移動可能となっている。また、角軸１４は前記腕１７ａ，１７ａの間で磁気ペン１８を貫通している。この磁気ペン１８は角軸１４に嵌合しており、角軸１４に対して相対回転不能かつ軸方向移動可能となっている。
【００２１】
磁気ペン１８の芯材１８ａは、ネオジウム・鉄・ボロンの合金で作ったネオジウム系磁石や、サマリウムという希土類元素とコバルトの合金で作った磁石や、プラセオジウムを使った希土類磁石などで構成されている。これらの磁石で芯材を構成すれば、細線でも鮮明に表示させることが可能である。なお、磁気ペン１８の芯材１８ａはスプリング１８ｂによって上方へ付勢されている。
【００２２】
また、角軸１４は図２に示すように連結片２０に嵌合している。この連結片２０は起立部分と水平部分とを有している。水平部分は前記ペン先接離ボタン９の下方まで延びている。
一方、ペン先接離ボタン９は磁気ディスプレイシート５の縦方向に延びる軸９ａを中心に左右に揺動できるようになっている。軸９ａの軸線は前記角軸１４の軸線と一致している。このペン先接離ボタン９の下側には二股部９ｂが付設され、この二股部９ｂで前記連結片２０の水平部分を挟持するようになっている。そして、ペン先接離ボタン９の右側部分を押すと磁気ペン１８が右に傾倒して、ペン先が磁気ディスプレイシート５から離れ、一方、ペン先接離ボタン９の左側部分を押すと磁気ペン１８が起立して、ペン先が磁気ディスプレイシート５に接触するようになっている。
【００２３】
ボール状操作子８は図５に示すように前後に往復回転するようになっている。このボール状操作子８の左側には歯車８ａが付設され、この歯車８ａには、プーリ３０と一体の歯車３１が噛合している。プーリ３０にはロープ３２が巻き付けられている。このロープ３２の一端には図２に示すようにスプリング３３の一端が連結され、このスプリング３３の他端は前記第２移動体１７に連結されている。また、ロープ３２の他端は第１移動体１２の先端に設けられたプーリ３４に巻き付けられた後、第２移動体１７に連結されている。その結果、ボール状操作子８を前後に回転操作すると、第２移動体１７も前後に移動することになる。なお、ロープ３２にスプリング３３を連結したのはロープ３２の弛みをなくすためである。
【００２４】
最後に、字消し板１１について説明すれば、ここでは永久磁石が組み込まれているが、その素材は磁気ペン１８の芯材の材質と同じであっても、あるいは違っていても良い。ただし、着磁線の数をできるだけ増やして、磁気ディスプレイシート５の絵等を簡単に消去できるようにしておくことが好ましい。
【００２５】
次に、本発明の作用を説明すれば、第１操作子７を左右に操作すると、第１移動体１２が左右に移動する。この時、ペン先接離ボタン９の左側に倒れていると、磁気ペン１８は起立するので、ペン先が磁気ディスプレイシート５に接触し、磁気ペン１８の軌跡が磁気ディスプレイシート５上に表示される。一方、ペン先接離ボタン９の右側に倒れていると、磁気ペン１８は右側に傾倒するので、ペン先が磁気ディスプレイシート５から離れ、磁気ペン１８の軌跡が磁気ディスプレイシート５上には表示されない。
【００２６】
一方、ボール状操作子８を前後に回転操作すると、歯車８ａ，３１を通じてプーリ３０が回転する。プーリ３０が回転するとロープ３２がプーリ３０との摩擦力によって引っ張られ、これにより第２移動体１７が前後に移動する。この時、ペン先接離ボタン９の左側に倒れていると、磁気ペン１８は起立するので、ペン先が磁気ディスプレイシート５に接触し、磁気ペン１８の軌跡が磁気ディスプレイシート５上に表示される。一方、ペン先接離ボタン９の右側に倒れていると、磁気ペン１８は右側に傾倒するので、ペン先が磁気ディスプレイシート５から離れ、磁気ペン１８の軌跡が磁気ディスプレイシート５上には表示されない。
【００２７】
さらに、第１操作子７および第２操作子８を操作すると、磁気ペン１８は縦横の複合動作を行う。この時、ペン先接離ボタン９の左側に倒れていると、磁気ペン１８は起立するので、ペン先が磁気ディスプレイシート５に接触し、磁気ペン１８の軌跡が磁気ディスプレイシート５上に表示される。一方、ペン先接離ボタン９の右側に倒れていると、磁気ペン１８は右側に傾倒するので、ペン先が磁気ディスプレイシート５から離れ、磁気ペン１８の軌跡が磁気ディスプレイシート５上には表示されない。
【００２８】
この磁気ディスプレイ装置１によれば、第１操作子１２または第２操作子１７の操作によって、綺麗な直線を描くことができる。また、この磁気ディスプレイ装置１によれば、ロープ伝動機構を用いて磁気ペン１８を移動させているので、構成が簡素となる。
【００２９】
さらに、この磁気ディスプレイ装置１によれば、ペン先接離ボタン９によって磁気ペン１８のペン先が磁気ディスプレイシート５から接離されるので、不連続の直線や曲線を描くことができる。また、この磁気ディスプレイ装置１によれば、ペン先接離ボタン９の押圧によって磁気ペン１８のペン先を磁気ディスプレイシート５に対して接離させるようにしているため、ペン先の接離が容易に行えることになる。
【００３０】
また、この磁気ディスプレイ装置１によれば、磁気ディスプレイ５上に表示された絵等の任意部分を消すことができる。さらに、この磁気ディスプレイ装置１によれば、マイクロカプセル５１から構成される磁気ディスプレイシート５を用いているので、細線も綺麗に表示することができる。
【００３１】
以上、本発明の実施形態について説明したが、本発明は、かかる実施形態に限定されるものではなく、その要旨を変更しない範囲で種々変形可能であることはいうまでもない。
【００３２】
【発明の効果】
本発明の代表的なものの効果について説明すれば、磁気ディスプレイシートに磁気ペンで絵等を表示できるように構成された磁気ディスプレイ装置において、前記磁気ディスプレイシートの下側に、前記磁気ディスプレイシートの下面に沿う一の方向で往復直線移動可能な第１移動体が設けられ、前記第１移動体は第１操作子の操作子の操作によって前記一の方向で往復直線移動するようになっており、前記第１移動体には、前記磁気ペンを保持し前記一の方向と直交する他の方向に往復直線移動可能な第２移動体が設けられ、前記第２移動体には、前記第１操作子の上の定位置で往復回転可能なボール状操作子からなる第２操作子が連結され、前記第２移動体は前記ボール状操作子によって前記他の方向に往復直線移動するようになっているので、第１移動体の移動方向および第２移動体の移動方向で直線を描くのが容易となる。
【図面の簡単な説明】
【図１】本発明に係る磁気ディスプレイ装置の平面図である。
【図２】本発明に係る磁気ディスプレイ装置の分解斜視図である。
【図３】本発明に係る磁気ディスプレイ装置の磁気ディスプレイシートの構成図である。
【図４】本発明に係る磁気ディスプレイ装置の磁気ペンの断面図である。
【図５】本発明に係る磁気ディスプレイ装置の第１操作子および第２操作子の近傍部分を示す図である。
【符号の説明】
１        磁気ディスプレイ装置
７        第１操作子
８        第２操作子（ボール状操作子）
１８        磁気ペン
【図１】
0003550305.tif 000002
【図２】
0003550305.tif 000003
【図３】
0003550305.tif 000004
【図４】
0003550305.tif 000005
【図５】
0003550305.tif 000006